(57)【要約】【課題】  ＩＳＯ感度の変更ステップが１／２段の時の、ＩＳＯ表示を分かりやすくする。【解決手段】  被写体の画像を撮像する撮像素子と、撮影に関する情報を表示する表示手段と、ＩＳＯ感度の設定が可能なＩＳＯ感度設定手段と、該ＩＳＯ感度設定手段にて設定されたＩＳＯ感度に応じて、前記撮像手段からの出力のゲインを調整するゲイン調整手段と、前記表示手段には、ＩＳＯ感度の整数値を表示する第１の表示領域と、該第１の表示領域に表示された表示を補助するための表示を行う第２の表示領域を備えた。【選択図】  図１
2005303407.tif 000002
【特許請求の範囲】
【請求項１】
被写体の画像を撮像する撮像素子と、撮影に関する情報を表示する表示手段と、ＩＳＯ感度の設定が可能なＩＳＯ感度設定手段と、該ＩＳＯ感度設定手段にて設定されたＩＳＯ感度に応じて、前記撮像手段からの出力のゲインを調整するゲイン調整手段とを有する電子カメラにおいて、
前記表示手段には、ＩＳＯ感度の整数値を表示する第１の表示領域と、該第1の表示領域に表示された表示を補助するための表示を行う第２の表示領域を備えたことを特徴とする電子カメラの表示装置。
【請求項２】
前記第１の表示領域と前記第２の表示領域の両方もしくはいずれか一方を前記表示手段に表示させるように制御する制御手段を設けたことを特徴とする請求項１記載の電子カメラの表示装置。
【請求項３】
ＩＳＯ値の分解能を変更する分解能変更手段とを有し、該分解能変更手段にて設定された分解能に応じて、前記第１の表示領域と前記第２の表示領域の両方もしくはいずれか一方を前記表示手段に表示させるように制御する制御手段を設けたこと特徴とする電子カメラの表示装置。
【発明の詳細な説明】
【技術分野】
【０００１】
本発明は、撮像素子の出力ゲインを変更することで、ＩＳＯ感度が変更可能な電子カメラの表示装置に関するものである。
【背景技術】
【０００２】
従来、特開平８−３２８０７７号公報に記載されているように、フィルムのＩＳＯ感度情報を表示する表示装置は知られている。さらに、特開平８−３２８０７７号公報には、ＩＳＯ感度を手動にて変更する手法も公開されている。
【０００３】
また、特開平４−１４２３３号公報に記載されているように、露出補正量やシャッタースピードまたは絞り値などの露出制御値の段数ステップを１／２段または１／３段ステップに切り換えが可能なカメラが公開されている。
【０００４】
また、近年ＣＣＤデバイス等の半導体撮像素子を利用した電子カメラが普及しているが、初期の電子カメラは画質も十分でなく、銀塩カメラでいえば普及機に相当する機種が多い。しかし、半導体技術や電子技術の発達により、銀塩一眼レフカメラのように多くの撮影条件を設定できる電子カメラも製造されるようになっている。
【０００５】
多くの撮影条件を設定できる電子カメラの中には、特開平１１−３３１６８９号公報や、特開２０００−１０１８９１号公報に記載されているように、ＣＣＤのゲインを変更することで、銀塩カメラで用いられる銀塩フィルムのＩＳＯ感度をマニュアルにて設定できる電子カメラも存在する。
【発明の開示】
【発明が解決しようとする課題】
【０００６】
従来の銀塩カメラの場合、ＩＳＯ感度値はフィルムによって決まってしまう。一般的に発売されているフィルム感度はＩＳＯ１００・ＩＳＯ１２５・ＩＳＯ１６０・ＩＳＯ２００など、１／３段ステップに設定されている。
【０００７】
また、特開平８−３２８０７７号公報に記載されているように、ユーザー自身がマニュアル操作にてＩＳＯ感度を変更できるカメラがあるが、マニュアルで変更する際も、フィルムのＩＳＯ感度に合わせて１／３段ステップで変更が可能である。
【０００８】
従来例の特開平４−１４２３３号公報のように、露出制御ステップを１／２段ステップや１／３段ステップに切り換えが可能なカメラで、ＩＳＯ感度が変更なカメラも存在するが、１／２段ステップに設定してもＩＳＯ感度の変更はフィルムに合わせて１／３段ステップのままであった。
【０００９】
しかし、特開平１１−３３１６８９号公報や、特開 ２０００−１０１８９１号公報に記載されているように、近年普及している電子カメラの場合、ＣＣＤなどのゲインが、銀塩フィルムのＩＳＯ感度に相当する。つまり、ＩＳＯ感度を変更するということは、ＣＣＤのゲインを変更すれば良く、銀塩カメラのようにフィルムに依存しないため、例えば１／２段ステップでＩＳＯ感度を変更することも可能である。
【００１０】
しかしながら、ＩＳＯ感度は１／３段ステップでの表示しかなく、１／２段ステップにした場合のＩＳＯ表示は存在しなかった。
【００１１】
また、１／２段のＩＳＯ表示を算出することは可能である。この場合例えば
ＩＳＯ２００→２８３→４００となり、ユーザーにとってはなじみのない数字となってしまい、何を表している表示かが直感的に理解できないため、戸惑ってしまうなどの問題が発生してしまう。
【００１２】
特開平１１−３３１６８９号公報や、特開 ２０００−１０１８９１号公報には上記問題を解決する手段は記載されていない。
【００１３】
本発明の目的は、上記した問題点を解消するためになされたものであり、電子カメラにおけるＩＳＯ感度の変更ステップを１／２段ステップに切り換えた場合に、１／２段ステップのＩＳＯ表示（例えばＩＳＯ１００とＩＳＯ２００の中間のＩＳＯ値を表示する時）を行うとときにも、ユーザーが戸惑うことなくＩＳＯ感度の確認が容易にできる電子カメラを提供することである。
【課題を解決するための手段】
【００１４】
上記目的を達成するために請求項１記載の電子カメラは、被写体の画像を撮像する撮像素子と、撮影に関する情報を表示する表示手段と、ＩＳＯ感度の設定が可能なＩＳＯ感度設定手段と、該ＩＳＯ感度設定手段にて設定されたＩＳＯ感度に応じて、前記撮像手段からの出力のゲインを調整するゲイン調整手段とを有する電子カメラにおいて、
前記表示手段には、ＩＳＯ感度の整数値を表示する第１の表示領域と、該第1の表示領域に表示された表示を補助するための表示を行う第２の表示領域を備えた。従って、第１の表示領域には１段ステップの整数倍のＩＳＯ表示を表示し、１／２段ステップ時のＩＳＯ表示を行う時には（例えばＩＳＯ１００とＩＳＯ２００の中間のＩＳＯ値を表示する時には）、第２の表示領域には１／２段ステップであることを表す補助表示を行うので、ユーザーにとってはなじみのない数字が表示される事なく、ユーザーが戸惑うことがなくなる。
【００１５】
請求項２記載の電子カメラは、前記第１の表示領域と前記第２の表示領域の両方もしくはいずれか一方を前記表示手段に表示させるように制御する制御手段を設けたので、１段ステップの整数倍のときは第１の表示領域だけに、ＩＳＯ表示を行い１／２段ステップのＩＳＯ表示の時には（例えばＩＳＯ１００とＩＳＯ２００の中間のＩＳＯ値を表示する時には）、第１の表示領域と同時に第２の表示領域に１／２段ステップであることを表す補助表示を表示するので、ユーザーにとってはなじみのない数字が表示される事なく、ユーザーが戸惑うことがなくなる。
【００１６】
請求項３記載の電子カメラは、ＩＳＯ値の分解能を変更する分解能変更手段とを有し、該分解能変更手段にて設定された分解能に応じて、前記第１の表示領域と前記第２の表示領域の両方もしくはいずれか一方を前記表示手段に表示させるように制御する制御手段を設けた。従って、例えば露出制御ステップが１／３段ステップを選択された時には、従来どおり第１の表示領域にだけにＩＳＯ値を表示する。また、露出制御ステップが１／２段ステップを選択された時には、第１の表示領域に１段ステップの整数倍のＩＳＯ値を表示し、第２の表示領域には１／２段ステップであることを表す補助表示を表示するので、ユーザーにとってはなじみのない数字が表示される事なく、ユーザーが戸惑うことがなくなる。
【発明の効果】
【００１７】
以上説明したように本願の第１の発明によれば、例えば露出制御ステップが１／３段ステップを選択された時には、従来どおり第１の表示領域にだけにＩＳＯ値を表示する。また、露出制御ステップが１／２段ステップを選択された時には（例えばＩＳＯ１００とＩＳＯ２００の中間のＩＳＯ値を表示する時）、第２の表示領域には１／２段ステップであることを表す補助表示を行うので、ユーザーにとってはなじみのない数字が表示される事なく、ユーザーが戸惑うことがなくなる。
【発明を実施するための最良の形態】
【００１８】
以下、本発明の実施の形態を一眼レフタイプデジタルカメラの実施例により詳しく説明する。
【００１９】
なお、本実施例では、記録手段として着脱可能な記録装置を用いているが、本発明はこれに限らず、記録装置を内蔵する形で同様に実施することができる。
【００２０】
図１および図２には、本発明の実施例である“一眼レフタイプデジタルカメラ”を示している。
【００２１】
図１は、本発明の実施例による一眼レフタイプのデジタルカメラの構成を示す上面図、図２は同デジタルカメラの構成を示す背面図である。
【００２２】
各図において、１００はカメラ本体、１１１はファインダー観察用の接眼窓である。図１及び図２において、１１２はＡＥ（自動露出）ロックボタン、１１３はＡＦ（オートフォーカス）の測距点選択ボタンである。
【００２３】
１１４は撮影操作をするためのレリーズボタンであり、第１ストロークでＳＷ１がＯＮし、第２ストロークでＳＷ２がＯＮする構成となっている。
【００２４】
１１５メイン電子ダイヤルで、例えば９０°位相のずれた２ビットの信号をマイクロコンピュータ１に送ることにより、回転方向と回転クリック数が検出される。
【００２５】
この回転方向と回転クリック数が検出することで、他の操作釦と併用して、カメラに数値を入力したり、撮影モードを切り換えたりすることが可能となる。
【００２６】
尚、このメイン電子ダイヤル１１５の構成や情報設定方法は、特開昭５８−６３９２２号や特開昭６０−１０３３３１号においてすでに公知であるので、詳しい説明は省略する。
【００２７】
図１及び図２において、１１７は撮影モード選択ボタン、１１８はＡＦモード選択ボタン、１１９は測光モード選択ボタンで、調光補正ボタンも兼ねている。
【００２８】
例えば、撮影モード選択ボタン１１７を押しながらメイン電子ダイヤル１１５を回転させると、ＴＶ優先→ＡＶ優先→マニアル→プログラム→ＴＶ優先→ＡＶ優先→マニアル→プログラム…と変更され、撮影者の意図するモードに設定することが可能である。
【００２９】
また、メイン電子ダイヤル１１５を逆回転させた時は、プログラム→マニアル→ＡＶ優先→ＴＶ優先→プログラム→…とモードは変更される。
【００３０】
また、撮影モード選択ボタン１１７と電子ダイヤル１１５によりＴＶ優先がモードとして設定されている場合には、メイン電子ダイヤル１１５を回転させることにより撮影者の希望するＴＶ値を設定することができる。
【００３１】
また、撮影モード選択ボタン１１７とメイン電子ダイヤル１１５によりＡＶ優先がモードとして設定されている場合には、メイン電子ダイヤル１１５を回転させることにより撮影者の希望とするＡＶ値を設定することができる。
【００３２】
また、ＡＦモード選択ボタン１１８と測光モード選択ボタン１１９を同時に押すことで、ＩＳＯ感度の設定やＩＳＯブラケティングの設定ができるＩＳＯ設定モードが選択される。なお、ＩＳＯ設定モードに関しては後に詳述する。
【００３３】
また、ＭＰＵ１・スイッチセンス回路２１・ＩＳＯ設定モードにて、ＩＳＯ感度設定手段を構成している。
【００３４】
図２及び図３において、１２０は撮影された画像を表示するＬＣＤモニター装置（液晶表示器）である。
図２において、１２１はＬＣＤモニター装置１２０をオン／オフするためのモニタースイッチである。
【００３５】
本実施例によるＬＣＤモニター装置１２０は透過型であるため、ＬＣＤモニター装置の駆動だけでは、画像を視認することはできず、必ずその裏面には不図示のバックライト照明装置が必要である。
【００３６】
図１及び図２において１１６はメイン電子ダイヤル１１５と同様の機能を備えた、サブ電子ダイヤルである。撮影モード選択ボタン１１７とメイン電子ダイヤル１１５によりマニュアルモードが設定された時には、絞り値の入力設定、プログラムモード（Ｐ）・シャッター優先モード（Ｔｖ）・絞り優先モード（Ａｖ）においては測光した適正露出に対し、カメラの制御露光量を変更する露出補正量の入力設定を行うものである。
【００３７】
図２において、１２２はこのサブ電子ダイヤル１１６による入力機能をロックするダイヤルロックスイッチ、１２３は本デジタルカメラの全ての動作を禁止するメインスイッチである。
【００３８】
１２４はＬＣＤモニター装置１２０に画像を表示する際や、カメラの初期設定の際にモードを選択するためのメニューボタンで、各モードを選択する時は、このメニューボタン１２４を押しながらサブ電子ダイヤル１１６を回転して希望のモードを選択する。そして、希望のモードが選択された時、メニューボタン１２４を離すと選択が完了する。
【００３９】
１４０は撮影条件やＩＳＯ値等を表示する表示手段の一部である外部表示機能を備えた液晶表示装置よりなる外部液晶表示装置である。
【００４０】
撮影レンズ２００は、カメラ本体１００に対して、不図示の本体マウントを介して交換可能である。
【００４１】
次に図３を用いて、外部液晶表示装置１４０の表示状態について説明する。
【００４２】
図３は外部液晶表示装置１４０の詳細図であり、カメラの通常撮影時で、かつ、分解能設定ＳＷ１２５が『１／２』に設定されている時の表示状態を示している。
【００４３】
なお、分解能設定ＳＷ１２５が『１／３』に設定されている時は、１４０ｄの表示は表示されていない（消灯状態）。
【００４４】
１４０ａは露出モードを示すセグメントであり、図３においてはプログラム撮影モードが選択されている状態を示している。１４０ｂはシャッター秒時表示用セグメントと、絞り値表示用セグメントであり、図３においては、シャッター秒時：１／２５０、絞り値：５．６を示している。１４０ｃは、第１の表示領域であるＩＳＯ値表示用セグメントである。１４０ｄは第２の表示領域であるＩＳＯ補助表示セグメントである。
【００４５】
なお、１４０ｃ・１４０ｄは後に詳述する設定されたＩＳＯによって表示が切り替わる。
【００４６】
１４０ｅは、１４０ｃの表示がＩＳＯ表示であることを撮影者に報知するためのＩＳＯ報知セグメントである。
【００４７】
図３のＩＳＯ表示は第１の表示領域１４０ｃ＝ＩＳＯ２００  第２の表示領域１４０ｄ  ＋１／２  でＩＳＯ２００の＋１／２段  つまり、ＩＳＯ２００とＩＳＯ４００の中間のＩＳＯ感度を表示している。
【００４８】
図４は、本発明の実施例である“一眼レフタイプデジタルカメラ”の構成を示すブロック図である。
【００４９】
図４において、１はカメラ本体に内蔵された制御手段であるところのマイクロコンピュータの中央処理装置（以下、ＭＰＵと記すこともある）である。
【００５０】
ＭＰＵ１には、ＡＦ駆動回路１２，絞り駆動回路１３，ミラー駆動回路１４，焦点検出回路１６，シャッター駆動回路１７，映像信号処理回路１１，スイッチセンス回路２１，測光回路２３、液晶表示駆動回路２４が接続されている。ＭＰＵ１は上記回路を予め定めた順序でシーケンシャルに制御する。
【００５１】
２００は撮影レンズ、１２はＡＦ（オートフォーカス）駆動回路で、例えば、ステッピングモータによって構成され、ＭＰＵ１の制御によって撮影レンズ２００内のフォーカスレンズ位置を変化させることによりＣＣＤ７にピントを合わせる。
【００５２】
１３は絞り駆動回路で、例えば、オートアイリスなどによって構成され、ＭＰＵ１の制御によって絞り２を変化させて光学的な絞り値を変化させる。
【００５３】
４はメインミラーで撮影レンズ２００により結像される被写体像を、ペンタプリズム３へ導くと共に、その一部を透過させ、後述するサブミラー５を通して焦点検出用センサー１５へ導くためのメインミラーである。ミラー駆動回路１４により、ファインダーにて被写体像を観察可能な位置と撮影時に被写体光束の光路から待避する退避位置とを可動自在に構成されている。
【００５４】
５はメインミラー４の一部を透過した被写体光を反射させて、焦点検出用センサー１５へ被写体像を導くためのサブミラーである。サブミラー５は、前記メインミラー４、又は、前記メインミラー４のミラー駆動回路１４と連動し、前記メインミラー４がファインダーにて被写体像を観察可能な位置にあるときには、焦点検出用センサー１５へ被写体光を導く位置に、また、撮影時には被写体光束の光路から待避する退避位置に可動自在に構成されている。
【００５５】
１４はミラー駆動回路で、例えばＤＣモータとギヤトレインなどから構成され、ＭＰＵ１の制御によってメインミラー４やサブミラー５を駆動させる。
【００５６】
３はペンタダハプリズムでメインミラー４によって導かれた被写体像を正立正像に変換反射する光学部材である。
【００５７】
撮影レンズ２００を通過した被写体光束は、絞り２を通過して、メインミラー４で反射されペンタプリズム３に導かれ接眼窓１１１で被写体像を観察する。さらには測光センサー２２へも導かれる。また、メインミラー４を透過した光束はサブミラー５で反射され、ＣＣＤ７面とほぼ等価な位置におかれた焦点検出用センサー１５の検出面上で再結像される。
【００５８】
その光像は、電気的なイメージ信号に変換されて焦点検出回路１６に供給される。
【００５９】
焦点検出回路１６はＭＰＵ１の信号に従い、焦点検出用センサー１５の蓄積制御と読み出し制御を行って、画素情報をＭＰＵ１へ出力する。
【００６０】
ＭＰＵ１は焦点検出回路１６からの被写体像のイメージ信号に基づいて、周知の位相差検出法による焦点検出演算を行い、撮影レンズ２００による結像面とフィルム面等の予定結像面との差、すなわちデフォーカス量およびデフォーカス方向を求める。
【００６１】
そして、ＭＰＵ１は算出したデフォーカス量およびデフォーカス方向に基づいて、ＡＦ駆動回路１２を介して撮影レンズ２００内のフォーカスレンズ位置を変化させ合焦位置まで駆動する。
【００６２】
６は機械シャッター装置で、ファインダー観察時には被写体光束を遮り、撮像時にはレリーズ信号に応じて被写体光束の光路から待避して露光を開始させる不図示の先羽根群６ａと、ファインダー観察時には被写体光束の光路から待避しているとともに、撮像時には先羽根群６ａの走行開始後所定のタイミングで被写体光束を遮光する不図示の後羽根群６ｂとを有するフォーカルプレーンシャッターである。機械シャッター装置６はＭＰＵ１の指令を受けたシャッター駆動回路１７によって制御される。
【００６３】
本実施例においては、先羽根群６ａと後羽根群６ｂの両方とを有している場合について説明しているが、遮蔽部材を一つだけとして露光を開始する時は被写体光束の光路から退避し、撮影が終了後再び被写体光束の光路を遮蔽する位置まで戻るような構成としても構わない。
【００６４】
７は撮影レンズ２００により結像された被写体像を撮像して電気信号に変換する固体撮像素子である。固体撮像素子は、公知の２次元型撮像デバイスであるＣＣＤが用いられている。撮像デバイスには、ＣＣＤ型、ＭＯＳ型、ＣＩＤ型など様々な形態があり、何れの形態の撮像デバイスを採用しても良いが、本実施の形態においては、光電変換素子（フォトセンサ）が２次元的に配列され、各センサーで蓄積された信号電荷が垂直転送路、及び、水平転送路を介して出力されるインターライン型ＣＣＤ撮像素子が採用されている。
【００６５】
８はクランプ／ＣＤＳ（相関二重サンプリング）回路で、Ａ／Ｄ変換する前の基本的なアナログ処理を行うと共に、クランプレベルの変更も可能である。
９はゲイン調整手段であるところのＡＧＣ（自動利得調整装置）で、Ａ／Ｄ変換する前の基本的なアナログ処理を行うと共に、ＡＧＣ基本レベルの変更も可能である。なお、ＡＧＣ基本レベルは、後述するＩＳＯ感度の設定に対応した値で行う。つまり、ＩＳＯ感度の値が変更されると、ＡＧＣの基本レベルが変更されることになる。
【００６６】
なお、ＣＣＤ７，クランプ／ＣＤＳ回路８，ＡＧＣ９，Ａ／Ｄ変換機１０にて、撮像手段を構成している。
【００６７】
１１は映像信号処理回路で、デジタル化されたＣＣＤ７の画像データに、ガンマー／ニー処理、フィルター処理、モニター表示用の情報合成処理など、ハードウエアによる画像処理全般を担当する。
【００６８】
この映像信号処理回路１１からのモニター表示用の画像データは、ＬＣＤ駆動回路２５を介してＬＣＤモニター１２０に表示される。
【００６９】
これらの機能の切り換えは、ＭＰＵ１とのデータ交換により行われ、必要に応じてＣＣＤ７の出力信号のホワイトバランス情報をＭＰＵ１に出力可能であり、その情報を基にＭＰＵ１はホワイトバランス調整やゲイン調整を行う。
【００７０】
また、ＭＰＵ１の指示により、何もせずにメモリコントローラ２６を通じて、バッファメモリ２７に画像データを保存することも可能である。また、映像信号処理回路１１は、ＪＰＥＧなどの圧縮処理を行う機能も有している。
【００７１】
また、連写の場合は、一旦、バッファメモリ２７に画像データを格納し、処理時間がかかる場合にメモリコントローラ２６を通して未処理の画像データを読み出し、映像信号処理回路１１で画像処理や圧縮処理を行い、連写スピードを稼ぐ構成となっている。連写枚数は、バッファメモリ２７の大きさに大きく左右される。
【００７２】
メモリコントローラ２６では、映像信号処理回路１１から入力された未処理のデジタル画像データをバッファメモリ２７に格納し、処理済みのデジタル画像をメモリ２８に格納したり、逆にバッファメモリ２７やメモリ２８から画像データを映像信号処理回路１１に出力したりする。
【００７３】
また、メモリコントローラ２６は、外部インターフェース２９から送られてくる映像をメモリ２８に記憶することや、メモリ２８に記憶されている画像を外部インターフェース２９から出力可能である。なお、メモリ２８は、カメラ本体に対して取り外しが可能である。
【００７４】
２１はスイッチセンス回路で、各スイッチの操作状態に応じて各部を制御する。
【００７５】
１１４ａはレリーズボタン１１４の第１ストロークによりオンするスイッチＳＷ１である。１１４ｂは、レリーズボタン１１４の第２ストロークによりオンするスイッチＳＷ２である。スイッチＳＷ２がオンされるとレリーズ操作が開始される。
【００７６】
また、メイン電子ダイヤルＳＷ１１５，サブ電子ダイヤル１６，撮影モード選択ＳＷ１１７、ＡＦモード選択ＳＷ１１８、測光モード選択ＳＷ１１９、ダイヤル分解能設定ＳＷ１２５が接続されていて、各ＳＷの状態をＭＰＵ１へ送信する。
【００７７】
ダイヤル分解能設定ＳＷ１２５が、「１／２」側に設定されている時は、メイン電子ダイヤルＳＷ１１５、サブ電子ダイヤル１１６を回転させる際の１クリック当たりの変化量を１／２段に設定する。「１／３」側に設定されている時は、メイン電子ダイヤルＳＷ１１５、サブ電子ダイヤル１１６を回転させる際の１クリック当たりの変化量を１／３段に設定する。
【００７８】
分解能が変更させられるパラメータは、シャッタースピード、絞り値、露出補正量、ＩＳＯ感度である。
【００７９】
なお、ＭＰＵ1・スイッチセンス回路２１・ダイヤル分解能設定ＳＷ１２５にて、分解能変更手段を構成している。
【００８０】
２３は測光回路で、画面内の各エリアの輝度信号として、測光センサー２２からの出力をＭＰＵ１に出力する。ＭＰＵ１は輝度信号をＡ／Ｄ変換し、撮影の露出を算出する。
【００８１】
２４は液晶表示駆動回路で、ＭＰＵ１の表示内容命令に従って、外部液晶表示装置１４０やファインダー内液晶表示装置３０を駆動する。また、液晶表示駆動回路２４は、ＭＰＵ１の指示により特定のセグメントを点滅表示状態にすることが可能である。
【００８２】
なお、ＭＰＵ１・液晶表示駆動回路２４・外部液晶表示装置１４０とから表示手段を構成している。
【００８３】
３１は電源部で、各ＩＣ（集積回路）や駆動系に必要な電源を供給する。
【００８４】
次に、図５〜図７を用いて、ＩＳＯ感度の設定方法について説明する。
【００８５】
図５のステップＳ１００において、ＡＦモードＳＷ１１８とＡＥモードＳＷ１１９の両方が、ＯＮしたか否かを判別する。ＯＮされたと判別されたならば、ステップＳ１０１へ移行し、ＩＳＯ設定モードになる。この時、外部液晶表示装置１４０は、図６または図７に示すような表示となる。
【００８６】
分解能設定ＳＷが『１／２』側に設定されている時は、図６のような表示を示す。分解能設定ＳＷが『１／３』側に設定されている時は、図７のような表示を示す。そして、後に詳述する操作が行われると、表示が変化していく。
【００８７】
ステップＳ１０２では、メイン電子ダイヤル１１５の入力がされたか否かを判別する。入力された時は、ステップＳ１０３へ移行する。入力されていない時は、ステップＳ１０６へ移行する。
【００８８】
ステップＳ１０３では、分解能設定ＳＷ１２５の状態の判別を行う。『１／２』側に設定されている時は、ステップＳ１０４へ移行し、『１／３』側に設定されている時は、ステップＳ１０５へ移行する。
【００８９】
ステップＳ１０４では、メイン電子ダイヤル１１５の入力に応じて、外部液晶表示装置１４０の表示を切り換える。
【００９０】
ステップＳ１４０の表示の切り換えについて、図６を用いて説明する。
【００９１】
図６−ａは、ＩＳＯ変更モードが設定された時の初期状態を示している。図６−ａにおいては現在のＩＳＯ設定値が、ＩＳＯ２００であることを示している。
【００９２】
ステップＳ１０４では、初期状態から例えば時計方向にメイン電子ダイヤル１１５を１クリック回転されると、ＩＳＯ感度が１／２段づつ増えていき、半時計方向に回転されると１／２段づつ減少していくように表示を変化させる。
【００９３】
図６−ｂは初期状態（図６−ａ）から、１クリック時計方向へ回転された状態を示している（１／２段分ＩＳＯが変化した状態）。
【００９４】
図６−ｂでは、第２の表示領域１４０ｄに『＋０．５』が表示される。これは、ＩＳＯ２００に対して、 １／２段分増加したことを示している（ＩＳＯ２００と、ＩＳＯ４００の中間のＩＳＯ値）。
さらに、１クリック時計方向へ回転されると、１４０ｃの表示は４００となり、１４０ｄは０が表示される。この状態は、ＩＳＯ４００が設定されたことを示している。つまり、初期状態である図６−ａから１段分（＝メイン電子ダイヤル１１５が、時計方向へ２クリック）変化したことになる。
【００９５】
またさらに、１クリック時計方向へ回転されると、１４０ｃの表示は４００のままで、１４０ｄは＋０．５が表示される。この状態は、ＩＳＯ４００に対して、１／２分増加したことを示している。（ＩＳＯ４００と、ＩＳＯ８００の中間のＩＳＯ値）つまり、初期状態である図６−ａから１．５段分（＝メイン電子ダイヤル１１５が、時計方向へ３クリック）変化したことになる。
【００９６】
メイン電子ダイヤル１１５が、反時計方向へ回転されると、１／２段づつ減少していく。例えば図６−ｄを初期状態とした場合ダイヤルの回転に応じて、図６−ｃ→図６−ｂ→図６−ａと変化していく。
【００９７】
このように、第１の表示領域である１４０ｃは１段づつ表示が変化し、間の１／２段は、第２の表示領域である１４０ｄを用いて表現しているので、戸惑うことなくすぐにＩＳＯ値を確認することが可能となる。
【００９８】
従って、従来のように１４０ｃの表示領域だけで、ＩＳＯの１／２段を表現しようとしても、銀塩フィルムの感度には１／２段が存在しないため表現できなかった。また、１／２段を算出することは可能であるが、この場合のＩＳＯ値は
ＩＳＯ２００→２８３→４００→５６５  となり、ユーザーにとってはなじみの無い数字となってしまい、数字の意味をすぐには理解することができないという問題が発生してしまう。
【００９９】
図５に戻って、ステップＳ１０３にて、分解能設定ＳＷが１／３に設定されている時は、ステップＳ１０５へ移行する。
【０１００】
ステップＳ１０５では、メイン電子ダイヤル１１５の入力に応じて、外部液晶表示装置１４０の表示を切り換える。
【０１０１】
ステップＳ１０５の表示の切り換えについて、図７を用いて説明する。
【０１０２】
図７−ａは、ＩＳＯ変更モードが設定された時の初期状態を示している。図７−ａにおいては現在のＩＳＯ設定値が、ＩＳＯ２００であることを示している。
【０１０３】
この状態から、メイン電子ダイヤル１１５が例えば１クリック時計方向へ回転される毎に、２００→２５０（図７−ｂ）→３２０（図７−ｃ）→４００（図７−ｄ）・・・１６００まで１／３段づつ増加していく。
【０１０４】
また、半時計方向へ回転操作されると、１６００→１２５０→１０００→８００・・・→２００と１／３づつ減少していく。
【０１０５】
１／３段ステップの場合は銀塩フィルムの時から表示が存在するので、第１の表示領域である１４０ｃの表示だけで表現でき、ユーザーも戸惑うことなくＩＳＯ値を確認することができる。
【０１０６】
図５に戻って、ステップＳ１０６では、ＡＦモードＳＷ１１８・ＡＥモードＳＷ１１９がＯＦＦしたか否かを判別し、ＯＦＦしていない場合には、ステップＳ１０２へ移行して、すでに説明した操作を繰り返し、ＯＦＦされたと判別された時には、ＩＳＯ設定モードを終了して、図３で説明した表示状態となる。
【図面の簡単な説明】
【０１０７】
【図１】本発明のデジタル一眼レフカメラの上面図。
【図２】本発明のデジタル一眼レフカメラの背面図。
【図３】本発明のデジタル一眼レフカメラの外部液晶表示装置の表示例を示す図。
【図４】本発明のデジタル一眼レフカメラの電気回路を示すブロック図。
【図５】本発明のデジタル一眼レフカメラのＩＳＯ設定動作を示すフローチャート図。
【図６】本発明のデジタル一眼レフカメラの１／２段ステップでのＩＳＯ設定時における外部液晶表示装置の表示例を示す。
【図７】本発明のデジタル一眼レフカメラの１／３段ステップでのＩＳＯ設定時における外部液晶表示装置の表示例を示す。
【図１】
2005303407.tif 000003
【図２】
2005303407.tif 000004
【図３】
2005303407.tif 000005
【図４】
2005303407.tif 000006
【図５】
2005303407.tif 000007
【図６】
2005303407.tif 000008
【図７】
2005303407.tif 000009